【手続補正書】
【提出日】平成20年5月1日(2008.5.1)
【手続補正１】
【補正対象書類名】明細書
【補正対象項目名】特許請求の範囲
【補正方法】変更
【補正の内容】
【特許請求の範囲】
【請求項１】  複数種類の通信回線を有し、データの送信を制御する通信装置であって、
送信対象のデータのデータ容量に基づいて、前記複数種類の通信回線の少なくとも１つを選択する選択手段と、
前記選択手段で選択された通信回線を用いて、前記送信対象のデータを送信する送信手段と
を備えることを特徴とする通信装置。
【請求項２】  前記送信対象のデータの機密度、緊急度の少なくとも１つを含む送信条件が前記送信対象のデータに含まれている場合、前記選択手段は、前記データ容量及び前記送信条件に基づいて、前記複数種類の通信回線の少なくとも１つを選択する
ことを特徴とする請求項１に記載の通信装置。
【請求項３】  前記選択手段は、送信対象のデータのデータ容量、及び、前記送信対象のデータのフォーマット、作成日、作成者の少なくとも１つに基づいて、前記複数種類の通信回線の少なくとも１つを選択する
ことを特徴とする請求項１に記載の通信装置。
【請求項４】  前記送信対象のデータを記憶する記憶手段と、
前記送信対象のデータの送信元と当該通信装置を接続するネットワークの負荷率を監視する監視手段を更に備え、
前記送信手段は、前記監視手段の監視結果に基づいて、前記記憶手段に記憶される送信対象のデータを送信する
ことを特徴とする請求項１に記載の通信装置。
【請求項５】  複数種類の通信回線を有し、データの送信を制御する通信装置の制御方法であって、
送信対象のデータのデータ容量に基づいて、前記複数種類の通信回線の少なくとも１つを選択する選択工程と、
前記選択工程で選択された通信回線を用いて、前記送信対象のデータを送信する送信工程と
を備えることを特徴とする通信装置の制御方法。
【請求項６】  前記送信対象のデータの機密度、緊急度の少なくとも１つを含む送信条件が前記送信対象のデータに含まれている場合、前記判定工程は、前記属性及び前記送信条件に基づいて、前記複数種類の通信回線の少なくとも１つを選択する
ことを特徴とする請求項５に記載の通信装置の制御方法。
【請求項７】  前記選択工程は、前記送信対象のデータのデータ容量、及び、フォーマット、作成日、作成者の少なくとも１つに基づいて、前記複数種類の通信回線の少なくとも１つを選択する
ことを特徴とする請求項５に記載の通信装置の制御方法。
【請求項８】  前記送信対象のデータを記憶媒体に記憶する記憶工程と、
前記送信対象のデータの送信元と前記通信装置を接続するネットワークの負荷率を監視する監視工程を更に備え、
前記送信工程は、前記監視工程の監視結果に基づいて、前記記憶媒体に記憶される送信対象のデータを送信する
ことを特徴とする請求項５に記載の通信装置の制御方法。
【請求項９】  複数種類の通信回線を有し、データの送信を制御する通信装置の制御手順をコンピュータに実行させるためのプログラムであって、
送信対象のデータのデータ容量に基づいて、前記複数種類の通信回線の少なくとも１つを選択する選択手順と、
前記選択手順で選択された通信回線を用いて、前記送信対象のデータを送信する送信手順と
をコンピュータに実行させるためのプログラム。
【手続補正２】
【補正対象書類名】明細書
【補正対象項目名】０００５
【補正方法】変更
【補正の内容】
【０００５】
本発明は上記の課題に鑑みてなされたものであり、データを効率的に送信することができる通信装置及びその制御方法、プログラムを提供することを目的とする。
【手続補正３】
【補正対象書類名】明細書
【補正対象項目名】０００６
【補正方法】変更
【補正の内容】
【０００６】
【課題を解決するための手段】
上記の目的を達成するための本発明による通信装置は以下の構成を備える。即ち、
複数種類の通信回線を有し、データの送信を制御する通信装置であって、
送信対象のデータのデータ容量に基づいて、前記複数種類の通信回線の少なくとも１つを選択する選択手段と、
前記選択手段で選択された通信回線を用いて、前記送信対象のデータを送信する送信手段と
を備える。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
上記の目的を達成するための本発明による通信装置の制御方法は以下の構成を備える。即ち、
複数種類の通信回線を有し、データの送信を制御する通信装置の制御方法であって、
送信対象のデータのデータ容量に基づいて、前記複数種類の通信回線の少なくとも１つを選択する選択工程と、
前記選択工程で選択された通信回線を用いて、前記送信対象のデータを送信する送信工程と
を備える。
【手続補正１１】
【補正対象書類名】明細書
【補正対象項目名】００１４
【補正方法】変更
【補正の内容】
【００１４】
上記の目的を達成するための本発明によるプログラムは以下の構成を備える。即ち、
複数種類の通信回線を有し、データの送信を制御する通信装置の制御手順をコンピュータに実行させるためのプログラムであって、
送信対象のデータのデータ容量に基づいて、前記複数種類の通信回線の少なくとも１つを選択する選択手順と、
前記選択手順で選択された通信回線を用いて、前記送信対象のデータを送信する送信手順と
をコンピュータに実行させる。
【手続補正１２】
【補正対象書類名】明細書
【補正対象項目名】００１８
【補正方法】変更
【補正の内容】
【００１８】
データ送信装置２００は、送信対象のデータの少なくともデータ容量やフォーマット等の属性を判定する判定部２１０と、送信に使用する回線を選択する選択部２２０と、データの送受信を行う送受信部２３０を備えている。尚、ＬＡＮ１５０が混雑している度合を示す負荷率を監視する監視部２５０と、ＬＡＮ１５０が混雑している場合に送信対象のデータを送信が実行されるまでの間、記憶しておくデータ記憶部２４０を備えても良い。
【手続補正１３】
【補正対象書類名】明細書
【補正対象項目名】００３３
【補正方法】変更
【補正の内容】
【００３３】
ステップＳ４０６では、送受信部２３０によって送信対象のデータ及びその送信条件を受信する。
【手続補正１４】
【補正対象書類名】明細書
【補正対象項目名】００３４
【補正方法】変更
【補正の内容】
【００３４】
次に、ステップＳ４０７では、判定部２１０によって、送信対象のデータのデータ容量を判定する。ステップＳ４０８では、送信対象のデータのフォーマットを判定する。ステップＳ４０９では、送信条件から得られる送信対象のデータの緊急度を判定し、送信順序を決定する。ステップＳ４１０では、送信条件から得られる送信対象のデータの機密度を判定する。
【手続補正１５】
【補正対象書類名】明細書
【補正対象項目名】００４９
【補正方法】変更
【補正の内容】
【００４９】
【発明の効果】
以上説明したように、本発明によれば、データを効率的に送信することができる通信装置及びその制御方法、プログラムを提供できる。